(57)【要約】【課題】パソコン本体に接続されるマウスのコードの捩れ・絡みを防止するマウスコードホルダーを提供すること。【解決手段】パーソナルコンピュータの操作・入力作業を行う際に用いられるマウス２０のコード２１の一部２１ａを所定高さにて支持するように設けたマウスコードホルダー１であって、実在若しくは架空のキャラクターからなる所定高さのホルダー本体２の上部に挿入溝４を形成し、マウス２０のコード２１の一部２１ａを柔軟で弾力性を有するスポンジ等の保持部材５により包囲した状態にて該挿入溝４に挿入することにより、コード２１の一部２１ａをホルダー本体２の上部に固定するようにした。【選択図】図１
0003123154.tif 000002
【実用新案登録請求の範囲】
【請求項１】
パーソナルコンピュータの操作・入力作業を行う際に用いられるマウスのコードの一部を所定高さにて支持するように設けたマウスコードホルダーであって、
実在若しくは架空のキャラクターからなる所定高さのホルダー本体の上部に挿入溝を形成し、前記マウスのコードの一部を柔軟で弾力性を有する保持部材により包囲した状態にて該挿入溝に挿入することにより、マウスのコードの一部がホルダー本体の上部に固定されるように構成したことを特徴とするマウスコードホルダー。
【請求項２】
パーソナルコンピュータの操作・入力作業を行う際に用いられるマウスのコードの一部を所定高さにて支持するように設けたマウスコードホルダーであって、
実在若しくは架空のキャラクターからなる所定高さのホルダー本体と台座とからなり、その台座の上面に係合突部と前記マウスのコードの一部を差し込む差込溝を夫々形成し、他方、そのホルダー本体の底部に該台座の係合突部に対応する嵌合穴を形成し、台座の差込溝に前記コードの一部を差し込んだ状態にてホルダー本体の嵌合穴を当該台座の係合突部に挿入することにより、マウスのコードの一部が台座に支持されるように構成したことを特徴とするマウスコードホルダー。
【考案の詳細な説明】
【技術分野】
【０００１】
本考案は、パーソナルコンピュータの操作・入力作業を行う際に用いられるマウスのコードの一部を所定高さにて支持するマウスコードホルダーに関するものである。
【背景技術】
【０００２】
パーソナルコンピュータ（以下、「パソコン」という）の操作・入力作業については、マウスを使用して行われるのが一般的である。マウスは無線式のものを除いて、パソコン本体と所定長さのコードにより接続されている。マウスは、通常マウスパッドの上に置かれた状態にて操作者により任意の方向に移動されるが、パソコン本体に近づけばたるみが増し、離れれば延びる状態となる。
【０００３】
ところが、マウスの移動に伴ってコードがねじれたりして操作性が悪くなることがあったり、コードが邪魔になることがある。このため、コードの捩れや絡みを防止し、マウスの操作性を損なわないことを目的とするマウスコードホルダーの提案がなされている。
【０００４】
特開平１１−１０２２５８号公報には、マウスコードをマウス操作面の上方に持ち上げて支持する支持部が設けられた支柱をマウスのコード取付部の近くに固定する立設手段を備えたマウスコードホルダーが開示されている。
【０００５】
特開２００３−８４８６３号公報には、マウスコードを保持具によって一度逆方向、或いは逆方向の上に向けて保持するようにしたマウスコード机上保持具が開示されている。
【特許文献１】特開平１１−１０２２５８号公報
【特許文献２】特開２００３−８４８６３号公報
【考案の開示】
【考案が解決しようとする課題】
【０００６】
この考案の目的は、パソコン本体に接続されるマウスのコードの捩れ・絡みを防止するマウスコードホルダーを提供することにある。
【課題を解決するための手段】
【０００７】
請求項１に記載の考案は、パーソナルコンピュータの操作・入力作業を行う際に用いられるマウスのコードの一部を所定高さにて支持するように設けたマウスコードホルダーであって、実在若しくは架空のキャラクターからなる所定高さのホルダー本体の上部に挿入溝を形成し、前記マウスのコードの一部を柔軟で弾力性を有する保持部材により包囲した状態にて該挿入溝に挿入することにより、マウスのコードの一部がホルダー本体の上部に固定されるように構成したことを特徴とするものである。
【０００８】
請求項２に記載の考案は、パーソナルコンピュータの操作・入力作業を行う際に用いられるマウスのコードの一部を所定高さにて支持するように設けたマウスコードホルダーであって、実在若しくは架空のキャラクターからなる所定高さのホルダー本体と台座とからなり、その台座の上面に係合突部と前記マウスのコードの一部を差し込む差込溝を夫々形成し、他方、そのホルダー本体の底部に該台座の係合突部に対応する嵌合穴を形成し、台座の差込溝に前記コードの一部を差し込んだ状態にてホルダー本体の嵌合穴を当該台座の係合突部に挿入することにより、マウスのコードの一部が台座に支持されるように構成したことを特徴とするものである。
【考案の効果】
【０００９】
このマウスコードホルダーは、マウスのコードの一部をホルダー本体の上部に固定或いはマウスのコードの一部を台座に支持することにより、コードの捩れ・絡みを防止することができ、マウスの操作性が良好となる。
【考案を実施するための最良の形態】
【００１０】
以下に、本考案の最良の形態例を図面に基づいて説明する。図１は本考案にかかる第１実施形態のマウスコードホルダーの正面図、図２はホルダー本体にマウスコードをセットする要領を説明する参考図、図３はホルダー本体の上部にマウスコードをセットした状態を示す説明図、図４は本考案にかかる第２実施形態のマウスコードホルダーの正面図、図５はホルダー本体を台座から離した状態を示す斜視図である。
【００１１】
（第１実施形態例）
図１において、１は本考案にかかる第１実施形態のマウスコードホルダー、２０はマウス、２５はマウスを載せるマウスパッドである。
【００１２】
マウスコードホルダー１は、猫・犬・人物等の実在の動物、花木等の植物若しくはこれらを基にデザイン化した形態又は架空のキャラクターからなる所定高さの形態とされている。この実施形態例では、ホルダー本体２を猫の形態としており、その招くように挙げられた手３の上部３ａに水平方向に直線状挿入溝４が形成されている。５は薄い厚さのスポンジ・ゴム片のような柔軟で弾力性を有する保持部材である。
【００１３】
しかして、マウス２０のコード２１の一部２１ａを保持部材５により包囲した状態にてホルダー本体２の挿入溝４に挿入することにより、コード２１の一部２１ａはホルダー本体２の上部に固定される。
【００１４】
つぎに、かかる構成になる第１実施形態のマウスコードホルダー１の作用について述べる。
このマウスコードホルダー１に上記要領にてマウス２０のコード２１の一部２１ａを固定する。ついで、マウスコードホルダー１をマウスパッド２５の前方の適宜箇所にセットする。マウス２０をマウスパッド２５の上に置いた状態にて操作者により任意の方向に移動すれば、マウス２０のコード２１はパソコン本体（図示せず）に近づけばたるみが増し、離れれば延びる状態となるが、コード２１ａがマウスコードホルダー１により保持されているので、コード２１の捩れ・絡みは可及的に防止される。
【００１５】
（第２実施形態例）
本考案にかかる第２実施形態のマウスコードホルダー１１を図４に示す。
このマウスコードホルダー１１は、猫の形態とされた所定高さのホルダー本体１２と台座１５とからなる。そのホルダー本体１２の底部１２ａには、所定の大きさの嵌合穴１３が形成されている。他方、台座１５は、やや扁平な四角形のブロック形態とされていて、その上面１５ａには、一対の係合突部１６，１６と、マウス２０のコード２１の一部２１ａを差し込むための直線状差込溝１７が該係合突部１６，１６の間を貫くように形成されている。その係合突部１６，１６は、ホルダー本体１２の嵌合穴１３を少しきつめに嵌着することができるように設けられている。
【００１６】
しかして、台座１５の差込溝１７にマウス２０のコード２１の一部２１ａを差し込んだ状態にてホルダー本体１２の嵌合穴１３を当該台座１５の係合突部１６，１６に挿入することにより、コード２１の一部２１ａは台座１５に支持される。
【００１７】
かかる構成になる第２実施形態のマウスコードホルダー１１の作用については、上述した第１実施形態のマウスコードホルダー１と変わるところがないので、説明を省く。
【００１８】
以上に述べた通り、このマウスコードホルダーは、マウスのコードの一部をホルダー本体の上部に固定或いはマウスのコードの一部を台座に支持することにより、コードの捩れ・絡みを可及的に防止することができる。加えて、マウスの操作性が良好となるという利点がある。
【図面の簡単な説明】
【００１９】
【図１】本考案にかかる第１実施形態のマウスコードホルダーの正面図
【図２】ホルダー本体にマウスコードをセットする要領を説明する参考図
【図３】ホルダー本体の上部にマウスコードをセットした状態を示す説明図
【図４】本考案にかかる第２実施形態のマウスコードホルダーの正面図
【図５】ホルダー本体を台座から離した状態を示す斜視図
【符号の説明】
【００２０】
１・・・マウスコードホルダー
２・・・ホルダー本体
４・・・挿入溝
５・・・保持部材
１１・・・マウスコードホルダー
１２・・・ホルダー本体
１３・・・嵌合穴
１５・・・台座１５
１６・・・係合突部
１７・・・差込溝
２０・・・マウス
２１・・・コード
２１ａ・・・（コードの）一部
【図１】
0003123154.tif 000003
【図２】
0003123154.tif 000004
【図３】
0003123154.tif 000005
【図４】
0003123154.tif 000006
【図５】
0003123154.tif 000007